(57)【要約】【課題】  遊技場内に設置されたデビット端末での決済金額を制限することにより、遊技客を遊技にのめり込ませることを抑制できるようにする。【解決手段】  遊技客がデビット端末８０にデビットカード８１を挿入し、暗証番号を入力すると、カード発行機６０に対して、カード発行操作可の旨が通知される。カード発行機６０で選択ボタン６０５が押下されると、この選択ボタン６０５に対応する金額データがデビット端末８０に通知される。デビット端末８０は、この金額データと暗証番号等を決済要求として情報処理センタ５に送出する。情報処理センタ５は、この決済要求を通信制御部５５を介して受信すると、主制御部５６の利用制限判定部５６２が今回の決済要求が利用制限範囲内かどうかを判断する。ここで、利用ＯＫであれば、決済処理制御部５６１がその要求に従った決済処理を行い、利用ＮＧであれば、当該決済処理を禁止する。【選択図】  図４
2006341122.tif 000002
【特許請求の範囲】
【請求項１】
有価価値が関連付けられた記録媒体を受け入れ、該有価価値に基づいて遊技媒体を貸し出す処理を行う記録媒体処理装置と、前記遊技媒体を用いて遊技を行う遊技機とを有する遊技システムにおいて、
デビットカードからカード情報を読み取り、該カード情報と指定金額とを通信回線を介してデビットシステムのセンタ処理装置に送信することにより、該センタ処理装置に対して当該カード情報に対応した口座から前記指定金額を引き落とす決済処理を行わせる決済処理手段と、
前記決済処理手段による決済処理の完了により該決済処理に係わる指定金額に対応した有価価値が関連付けられた記録媒体を発行する媒体発行手段と、
前記決済処理に係わる利用制限情報を記憶する記憶手段と、
前記決済処理端末による決済処理に際して、該決済処理が前記記憶手段に記憶された利用制限情報で規定される利用限度範囲内であるか否かを判定する判定手段と、
前記判定手段により前記決済処理が前記利用限度範囲内でないと判定された場合は該決済処理を規制する決済処理規制手段と
を具備することを特徴とする遊技システム。
【請求項２】
前記利用制限情報は、
一定期間内の利用上限金額、一定期間内の利用上限回数、１回の利用における上限金額、１回の利用における下限金額のうちの少なくとも１つを含むことを特徴とする請求項１記載の遊技システム。
【請求項３】
前記判定手段は、
前記決済処理が前記記憶手段に記憶された利用制限情報で規定される利用限度範囲内であるか否かの判定を前記デビットカードの識別情報に基づき行うことを特徴とする請求項１記載の遊技システム。
【請求項４】
有価価値が関連付けられた記録媒体を受け入れ、該有価価値に基づいて遊技媒体を貸し出す処理を行う記録媒体処理装置と、前記遊技媒体を用いて遊技を行う遊技機とを有する遊技システムにおいて、
デビットカードからカード情報を読み取り、該カード情報と指定金額とを通信回線を介してデビットシステムのセンタ処理装置に送信することにより、該センタ処理装置に対して当該カード情報に対応した口座から前記指定金額を引き落とす決済処理を行わせる決済処理端末と、
前記決済処理端末からの決済処理の完了通知により該決済処理に係わる指定金額に対応した有価価値が関連付けられた記録媒体を発行する媒体発行機と
を具備し、
前記決済処理端末は、
前記決済処理に係わる利用制限情報を記憶する記憶手段と、
前記決済処理端末による決済処理に際して、該決済処理が前記記憶手段に記憶された利用制限情報で規定される利用限度範囲内であるか否かを判定する判定手段と、
前記判定手段により前記決済処理が前記利用限度範囲内でないと判定された場合は該決済処理を規制する決済処理規制手段と
を具備することを特徴とする遊技システム。
【請求項５】
有価価値が関連付けられた記録媒体を受け入れ、該有価価値に基づいて遊技媒体を貸し出す処理を行う記録媒体処理装置と、前記遊技媒体を用いて遊技を行う遊技機とを有する遊技システムにおいて、
デビットカードからカード情報を読み取り、該カード情報と指定金額とを通信回線を介してデビットシステムのセンタ処理装置に送信することにより、該センタ処理装置に対して当該カード情報に対応した口座から前記指定金額を引き落とす決済処理を行わせる決済処理端末と、
前記決済処理端末からの決済処理の完了通知により該決済処理に係わる指定金額に対応した有価価値が関連付けられた記録媒体を発行する媒体発行機と、
会員カードから会員情報を読み取り、該会員情報に基づき各会員に対応した処理を行う会員管理端末と、
会員情報を記憶し、前記会員管理端末から受け取った会員情報に基づき会員の管理を行う会員管理装置と
を具備し、
前記会員管理装置は、
前記決済処理に係わる利用制限情報を前記会員情報に対応して記憶する記憶手段と、
前記決済処理端末による決済処理に際して、前記会員管理端末から受け取った会員情報に基づき該決済処理が前記記憶手段に記憶された利用制限情報で規定される利用限度範囲内であるか否かを判定する判定手段と、
前記判定手段により前記決済処理が前記利用限度範囲内でないと判定された場合は該決済処理を規制する決済処理規制手段と
を具備することを特徴とする遊技システム。
【請求項６】
有価価値が関連付けられた記録媒体を受け入れ、該有価価値に基づいて遊技媒体を貸し出す処理を行う記録媒体処理装置と、前記遊技媒体を用いて遊技を行う遊技機とを有する遊技システムに設けられる遊技料金処理ユニットであって、
デビットカードからカード情報を読み取り、該カード情報と指定金額とを通信回線を介してデビットシステムのセンタ処理装置に送信することにより、該センタ処理装置に対して当該カード情報に対応した口座から前記指定金額を引き落とす決済処理を行わせる決済処理手段と、
前記決済処理手段による決済処理の完了により該決済処理に係わる指定金額に対応した有価価値が関連付けられた記録媒体を発行する媒体発行手段と、
前記決済処理に係わる利用制限情報を記憶する記憶手段と、
前記決済処理手段による決済処理に際して、該決済処理が前記利用制限情報で規定される利用限度範囲内であるか否かを判定する判定手段と、
前記判定手段により前記決済処理が前記利用限度範囲内でないと判定された場合は該決済処理を規制する決済処理規制手段と
を具備することを特徴とする遊技料金処理ユニット。
【発明の詳細な説明】
【技術分野】
【０００１】
本発明は、パチンコ店等の遊技場に設置され、プリペイドカード等の遊技用記録媒体を受け入れて、該記録媒体に付与された有価価値または有価価値を特定する情報に基づいて遊技媒体を貸し出し可能とするカードシステムを備えた遊技システムに係わり、詳しくは、遊技媒体の貸し出しにデビットカードも併用できるようにした遊技システム及び遊技料金処理ユニットに関する。
【背景技術】
【０００２】
この種の遊技システムのうち、例えば、パチンコ店に設置されるものにおいては、特許文献１に示されるように、遊技客がカード発行機にて予めプリペイドカードを購入し、遊技台（パチンコ台）の横に設置されたカード処理ユニットにそのカードを挿入した状態で指定した金額に応じて該遊技台のプレイに必要な遊技媒体（パチンコ玉）の貸し出しを受けてこの遊技台によるプレイを楽しむシステムが知られている。
【０００３】
パチンコ店に設置される遊技台には、パチンコ台の他、パチスロマシン等もある。従って、パチンコ店で発行されるプリペイドカードで貸し出し可能な遊技媒体としては、パチンコ玉やメダル等があり、これら遊技媒体の貸し出しは、当該カードの残額がなくなるまで可能であり、また、残額がある状態で途中で止めようとした場合には、上記遊技台、又は玉貸し機，メダル貸し機に設けられたカード返却ボタンを押すことで、当該残額が記録されたカードが返却されるようになっている。
【０００４】
従来、こうした遊技用プリペイドカードは、カード発行機に現金を投入して、その範囲内でカードの金額を選択ボタンで指定してその発行を受けるものが一般的である。
【０００５】
従って、従来では、プリペイドカードの残額が無くなり、新たなプリペイドカードを購入しようとした時、現金の持ち合わせが無い場合には、銀行に行って現金を引き落としてくる等の必要があり、特に、プレイに興が乗って急いでプレイを再開しようとしている遊技客にとっては非常に面倒なことであった。
【０００６】
こうした不都合を解決するための方法として、例えば、パチンコ店内にデビット端末を設置し、デビットカード（キャッシュカード）を用いて決済を行うことが考えられる。
【０００７】
しかしながら、この方法の場合、利用者の保有するキャッシュカードの発行銀行側にて特別な制限を設けていない限り、利用者の口座にある預金の金額内であれば任意の金額の決済が可能であるというのが現状である。
【０００８】
このために、その利用者が、先に述べた経緯でプレイ続行しようとしている場合等においては、デビット決済に歯止めがかからず、遊技にのめり込ませる引き金となるおそれがあった。
【特許文献１】特開平０９−２９９６０１号公報
【発明の開示】
【発明が解決しようとする課題】
【０００９】
上述の如く、従来は、遊技場内にデビット端末を設置し、デビットカード（キャッシュカード）による決済を行えるようにした場合、利用者の口座にある預金の金額内での決済が可能なため、遊技客を遊技にのめり込ませる引き金となるおそれがあるという問題点があった。
【００１０】
本発明は上記問題点を解消し、遊技場内に設置されたデビット端末での決済金額を制限することにより、遊技客を遊技にのめり込ませることを抑制できる遊技システム及び遊技料金処理ユニットを提供することを目的とする。
【課題を解決するための手段】
【００１１】
上記目的を達成するため、請求項１の発明は、有価価値が関連付けられた記録媒体を受け入れ、該有価価値に基づいて遊技媒体を貸し出す処理を行う記録媒体処理装置と、前記遊技媒体を用いて遊技を行う遊技機とを有する遊技システムにおいて、デビットカードからカード情報を読み取り、該カード情報と指定金額とを通信回線を介してデビットシステムのセンタ処理装置に送信することにより、該センタ処理装置に対して当該カード情報に対応した口座から前記指定金額を引き落とす決済処理を行わせる決済処理手段と、前記決済処理手段による決済処理の完了により該決済処理に係わる指定金額に対応した有価価値が関連付けられた記録媒体を発行する媒体発行手段と、前記決済処理に係わる利用制限情報を記憶する記憶手段と、前記決済処理端末による決済処理に際して、該決済処理が前記記憶手段に記憶された利用制限情報で規定される利用限度範囲内であるか否かを判定する判定手段と、前記判定手段により前記決済処理が前記利用限度範囲内でないと判定された場合は該決済処理を規制する決済処理規制手段とを具備することを特徴とする。
【００１２】
また、請求項２の発明は、請求項１の発明において、前記利用制限情報は、
一定期間内の利用上限金額、一定期間内の利用上限回数、１回の利用における上限金額、１回の利用における下限金額のうちの少なくとも１つを含むことを特徴とする。
【００１３】
また、請求項３の発明は、請求項１の発明において、前記判定手段は、前記決済処理が前記記憶手段に記憶された利用制限情報で規定される利用限度範囲内であるか否かの判定を前記デビットカードの識別情報に基づき行うことを特徴とする。
【００１４】
また、請求項４の発明は、有価価値が関連付けられた記録媒体を受け入れ、該有価価値に基づいて遊技媒体を貸し出す処理を行う記録媒体処理装置と、前記遊技媒体を用いて遊技を行う遊技機とを有する遊技システムにおいて、デビットカードからカード情報を読み取り、該カード情報と指定金額とを通信回線を介してデビットシステムのセンタ処理装置に送信することにより、該センタ処理装置に対して当該カード情報に対応した口座から前記指定金額を引き落とす決済処理を行わせる決済処理端末と、前記決済処理端末からの決済処理の完了通知により該決済処理に係わる指定金額に対応した有価価値が関連付けられた記録媒体を発行する媒体発行機とを具備し、前記決済処理端末は、前記決済処理に係わる利用制限情報を記憶する記憶手段と、前記決済処理端末による決済処理に際して、該決済処理が前記記憶手段に記憶された利用制限情報で規定される利用限度範囲内であるか否かを判定する判定手段と、前記判定手段により前記決済処理が前記利用限度範囲内でないと判定された場合は該決済処理を規制する決済処理規制手段とを具備することを特徴とする。
【００１５】
また、請求項５の発明は、有価価値が関連付けられた記録媒体を受け入れ、該有価価値に基づいて遊技媒体を貸し出す処理を行う記録媒体処理装置と、前記遊技媒体を用いて遊技を行う遊技機とを有する遊技システムにおいて、デビットカードからカード情報を読み取り、該カード情報と指定金額とを通信回線を介してデビットシステムのセンタ処理装置に送信することにより、該センタ処理装置に対して当該カード情報に対応した口座から前記指定金額を引き落とす決済処理を行わせる決済処理端末と、前記決済処理端末からの決済処理の完了通知により該決済処理に係わる指定金額に対応した有価価値が関連付けられた記録媒体を発行する媒体発行機と、会員カードから会員情報を読み取り、該会員情報に基づき各会員に対応した処理を行う会員管理端末と、会員情報を記憶し、前記会員管理端末から受け取った会員情報に基づき会員の管理を行う会員管理装置とを具備し、前記会員管理装置は、前記決済処理に係わる利用制限情報を前記会員情報に対応して記憶する記憶手段と、前記決済処理端末による決済処理に際して、前記会員管理端末から受け取った会員情報に基づき該決済処理が前記記憶手段に記憶された利用制限情報で規定される利用限度範囲内であるか否かを判定する判定手段と、前記判定手段により前記決済処理が前記利用限度範囲内でないと判定された場合は該決済処理を規制する決済処理規制手段とを具備することを特徴とする。
【００１６】
また、請求項６の発明は、有価価値が関連付けられた記録媒体を受け入れ、該有価価値に基づいて遊技媒体を貸し出す処理を行う記録媒体処理装置と、前記遊技媒体を用いて遊技を行う遊技機とを有する遊技システムに設けられる遊技料金処理ユニットであって、デビットカードからカード情報を読み取り、該カード情報と指定金額とを通信回線を介してデビットシステムのセンタ処理装置に送信することにより、該センタ処理装置に対して当該カード情報に対応した口座から前記指定金額を引き落とす決済処理を行わせる決済処理手段と、前記決済処理手段による決済処理の完了により該決済処理に係わる指定金額に対応した有価価値が関連付けられた記録媒体を発行する媒体発行手段と、前記決済処理に係わる利用制限情報を記憶する記憶手段と、前記決済処理手段による決済処理に際して、該決済処理が前記利用制限情報で規定される利用限度範囲内であるか否かを判定する判定手段と、前記判定手段により前記決済処理が前記利用限度範囲内でないと判定された場合は該決済処理を規制する決済処理規制手段とを具備することを特徴とする。
【発明の効果】
【００１７】
本発明によれば、デビットカードの利用限度範囲を設定しておくことで、遊技客の使い過ぎを防止でき、射幸心の抑制にも寄与する。また、この場合には、デビットカード盗難時の被害を最小限に抑える効果も望める。
【００１８】
更に、デビットカードの利用限度範囲は、上限値ばかりでなく、下限値や利用制限回数等も設定するようにしておけば、小額の決済が複数回行われることを防止でき、決済に絡むホール側の決済手数料負担も軽減できる。
【発明を実施するための最良の形態】
【００１９】
以下、本発明に係る一実施の形態を添付図面を参照して詳細に説明する。
【００２０】
図１は、本発明の遊技システムの全体構成を示すブロック図である。
【００２１】
図１において、この遊技システムは、パチンコ店などの遊技場に設置されるシステムを前提としている。
【００２２】
この遊技システムの核であるパチンコ店３〔３−１，３−２，〜，３−ｎ（ｎ：任意の整数）〕内には、まず、会員の遊技情報を管理する会員管理用ターミナルコントローラ（Ｔ／Ｃ）１０と、プリペイドカード等のカード情報を管理するカード管理用ターミナルコントローラ（Ｔ／Ｃ）２０が設置されている。
【００２３】
Ｔ／Ｃ１０は後述する会員管理端末９０（図１０参照）等とローカルエリアネットワーク（ＬＡＮ）を介して接続され、Ｔ／Ｃ２０は、島３０の一構成要素である複数の島コントローラ（Ｓ／Ｃ）４０と上記ＬＡＮとは別のＬＡＮ２５により接続されている。
【００２４】
図２は、図１に示した会員管理用Ｔ／Ｃ１０の詳細構成を示すブロック図である。
【００２５】
図２において、ワークステーション１１０は、このワークステーション１１０の全体動作を統括制御する制御部１１０−１、会員カードの会員コードと関連付けて遊技情報と会員情報をレコード形式で記憶するデータベース１１１及び後述する利用制限制御のためのデータベース１１２を格納するメモリ１１０−２、このワークステーション１１０内の各種管理情報を表示する表示部１１０−３、各種情報等の入力およびこのワークステーション１１０内の管理情報の印刷に使用される入出力部１１０−４を具備して構成される。
【００２６】
パーソナルコンピュータ１２０は、ＬＡＮ１５を介して、ワークステーション１１０に接続され、店員は、このパーソナルコンピュータ１２０を用いて、ワークステーション１１０への新規口座の登録やデータの統計処理等を行う。
【００２７】
プリンタ１３０は、パーソナルコンピュータ１２０に接続され、例えば、店員がワークステーション１１０に記憶された台帳データに基づいて、ダイレクトメールを発行する場合等に使用される。
【００２８】
会員カード発行機１４０は、パーソナルコンピュータ１２０に接続され、このパーソナルコンピュータ１２０によって新規口座の登録が行われると、該登録された口座の会員カード（図１０における会員カード９１に相当）が発行される。
【００２９】
図３は、図２に示したＴ／Ｃ１０のワークステーション１１０内のメモリ１１０−２に格納されるデータベース１１１の構成例を示す図である。
【００３０】
このデータベース１１１は、会員カード販売機１４０にて販売された会員カードの会員コードと関連付けて遊技情報と会員情報をレコード形式で記憶するものであり、この例では、「会員コード」に対応して、「購入度数」、「暗証番号」、「出玉数」、「入玉数」、「貯玉数」、「有効フラグ」が記憶されている。
【００３１】
なお、有効フラグは、会員カードが盗用された場合には“０”をセットして使用不可状態にすることができる。復旧は、店員が会員からカードが利用できない旨の申告を受けて、本人を確認した上で、パーソナルコンピュータ１２０を操作して行なう。
【００３２】
次に、もう一方のカード管理用Ｔ／Ｃ２０に接続される各島３０内構成要素について説明する。
【００３３】
図１におけるパチンコ店３内の各島３０は、島コントローラ（Ｓ／Ｃ）４０、該Ｓ／Ｃ４０により制御される複数の遊技ユニット５０、プリペイドカード等のカードの販売を行うカード発行機６０、これらカードの精算（カードに記憶された有価価値の残価に応じた現金等の払い出し）を行うカード精算機７０等により構成されている。
【００３４】
カード発行機６０は、通常、各島３０毎に１台程度設けられ、カード発行時に当該カードに対してＩＤ番号（磁気ストライプには媒体ＩＤ、表面には目視可能な表示ＩＤ）を付与する。
【００３５】
すなわち、カード発行機６０では、紙幣の投入後、遊技客により金額が選択指定されると、この選択指定された金額分の金額データ（初期度数）と共に発行店、日付、媒体ＩＤ等の情報をカードの磁気ストライプ部に磁気記録し、かつカード表面に金額と表示ｌＤを印字したプリペイドカード６１を発行する。
【００３６】
なお、磁気ストライプ部に記録された媒体ＩＤは暗号化されており、カード表面に印字された表示ＩＤとは異なっているのがセキュリティの保護の為には有益である。
【００３７】
媒体ＩＤについては、発行時にＩＤが付与されるものであっても良いし、カード発行機６０や図示しないカード更新機等に装填される前から予めＩＤが付与されているものであっても良い。
【００３８】
このプリペイドカード６１の発行に先立ち、カード発行機６０は、Ｔ／Ｃ２０ヘカード発行データの登録を要求すると共に、発行の可否を問い合わせ、発行可の時のみプリペイドカード６１を発行する。
【００３９】
また、パチンコ店３内の各島３０において、遊技ユニット５０は、遊技機５１０と、隣接する遊技機５１０との間の台間に設けられるカード処理ユニット５２０とにより構成される。
【００４０】
カード処理ユニット５２０は、カード挿入／排出口及び貸し出し要求手段を少なくとも有し、遊技客によりカード挿入／排出口に例えばプリペイドカード６１が挿入されると、Ｔ／Ｃ２０に問い合わせてその有価価値データを取得し、遊技客による遊技機５１０への遊技媒体の貸し出し要求に基づき、当該有価価値データ（残度数）の範囲内で、遊技媒体を貸し出す処理を行う。遊技客は、この遊技媒体を用いてパチンコ等のプレイを行うことができる。
【００４１】
なお、本システムにおいて、遊技機５１０の種別としては、ＣＲパチンコ台の他、パチスロ機やパチンコ台等があり、カード処理ユニット５２０としては、上記種別に対応して、ＣＲカードユニット、カードメダル貸機、カード玉貸機等が設けられる。
【００４２】
上述した各島３０の構成要素は、通信路接続され（但し、Ｔ／Ｃ２０と各Ｓ／Ｃ４０間はＬＡＮ２５で接続される）、相互にあるいはＴ／Ｃ２０との間でデータ交換を行うことができるようになっている。
【００４３】
Ｔ／Ｃ２０は、各島３０の各構成要素から収集したデータを基にカード管理用のデータベースを構築すると共に、これらデータを逐次イベントがある毎に更新することで、カード発行機６０にて発行されたカードに関する種々の情報（例えば、発行日、当初の購入金額、残存する有価データ、カード発行機６０での売上や遊技ユニット５０で貸し玉と交換した後の残額等に関するデータ）をそのカードＩＤを基に管理している。
【００４４】
更に、Ｔ／Ｃ２０は、パチンコ店外のカード会社センタ１の経営コンピュータと公衆回線網２により接続されており、この経営コンピュータを用いてＴ／Ｃ２０内のデータを管理できるようになっている。
【００４５】
以上に述べた構成のうち、Ｔ／Ｃ１０を除く部分全体は、パチンコ店３などの遊技場向けに普及しているプリペイドカードシステムと呼べるものである。
【００４６】
本発明のシステムの構成上の特徴として、上記各島３０の構成要素として更にデビット端末８０（特許請求の範囲中の決済処理手段を備えた端末）が追加されている。このデビット端末８０は、図１に示す如く、カード発行機６０に隣接して設置され、かつ当該カード発行機６０と通信路で接続されている。
【００４７】
また、このデビット端末８０は、パチンコ店３の店外において、公衆回線網４を介して情報処理センタ（特許請求の範囲中のセンタ処理装置に相当）５に接続されている。
【００４８】
更に、情報処理センタ５は、カード発行銀行７−１、決済銀行７−２、加盟店銀行７−３のそれぞれのコンピュータとＣＡＦＩＳネットワーク６（クリアリングセンタ６ａを含む）を介して接続されている。
【００４９】
このＣＡＦＩＳネットワーク６を核とし、更に、情報処理センタ５からパチンコ店３内に設置されたデビット端末８０へとつながる部分全体は、デビットカードシステムと呼べるものである。
【００５０】
このことから、本発明のシステム（図１参照）は、デビットカードシステムの末端のデビット端末８０をプリペイドカードシステムの末端のカード発行機６０に接続し、各パチンコ店３内の構成要素としたものと言える。
【００５１】
この本発明のシステムにおいて、デビット端末８０は、接続されたカード発行機６０と協同し、該カード発行機６０からのプリペイドカード６１の発行に関するデビットカードによる決済処理機能を有するものである。
【００５２】
特に、本発明のシステムでは、デビットカードによる決済の利用可能範囲を予め設定しておき、当該利用可能範囲内の金額に限りプリペイドカード６１の発行を許可するようにしたものである。
【００５３】
このデビットカードによる決済の制限をかける処理を行う部分としては、後で述べるように、デビットカードシステム内の情報処理センタ５とすることができるし、デビット端末８０若しくは会員管理システム（会員管理用Ｔ／Ｃ２０）とすることもできる。
【００５４】
また、上記利用可能範囲の設定方法としては、例えば、一定期間内に利用が許される上限金額、利用回数等を設定する方法、１回の取引当たりの上限金額及び下限金額を設定する方法、これらを組み合わせる方法が考えられる。
【００５５】
更には、上記利用範囲の適用先を、各店舗毎、同一店舗内のあるグループ毎あるいは端末１台毎に設定することもできる。
【００５６】
以下、本発明における種々実施例について説明する。
【実施例１】
【００５７】
図４は、実施例１に係わるデビット端末８０、カード発行機６０、及び情報処理センタ５の構成及び接続態様を示す概念図である。
【００５８】
本実施例において、デビット端末８０には、外観上、取引金額や入力操作ガイダンス等の各種情報を表示する表示部８０５、テンキー等のキーを備え、キャッシュカード（デビットカード）８１の暗証番号や取引金額等を入力するキー操作部８０６、キャッシュカード８１を挿入するカード挿入／排出口８０７が備わる。
【００５９】
カード発行機６０には、外観上、プリペイドカード６１の発行金額を選択する選択ボタン６０５（図４では、１０００円、２０００円、３０００円、５０００円のプリペイドカードの発行選択ができる構成となっている）、選択ボタン６０５にて選択された発行金額に応じたプリペイドカード６１を発行（排出する）カード発行口６０６が備わる。
【００６０】
なお、このカード発行機６０の外観構成は、本実施例の機能動作に最小限必要な要素を想定した場合の構成例であり、もし、本カード発行機６０を現金によるプリペイドカード６１の発行あるいは両替も可能なものにしようとするならば、他に、現金（紙幣）を投入する紙幣投入口、投入された現金の金額等を表示する金額表示部、両替を指示する選択ボタン、両替金（紙幣）を排出する紙幣排出口等を併設することもできる。
【００６１】
一方、情報処理センタ５には、通信制御部５５ａ，５５ｂ、主制御部５６、メモリ部５７が備わる。主制御部５６には、決済処理制御部５６１、利用制限判定部５６２、データベース管理部５６３が備わり、メモリ部５７内には、利用制限範囲の条件データや、キャッシュカード８１の利用実績に関する各種データを管理する利用制限データベース５７１が設けられる。
【００６２】
図５は、利用制限データベース５７１の一例を示すものである。同図に示すように、この利用制限データベース５７１には、利用制限設定テーブル５７１ａと、利用実績テーブル５７１ｂが備わる。
【００６３】
利用制限設定テーブル５７１ａには、例えば、各パチンコ店のＩＤ（店舗ＩＤ）別に、それぞれ、一定期間単位（この例では１日単位）の利用上限金額、同じく限度回数、１回の利用あたりの上限金額及び下限金額等の利用制限条件データが予め設定されている。
【００６４】
店舗内のグループ毎、あるいは端末毎に利用制限を行う場合には、例えば、店舗ＩＤに加えて、これらグループＩＤ、端末ＩＤを設定すれば良い。
【００６５】
また、利用実績テーブル５７１ｂには、各パチンコ店の店舗ＩＤ毎に、それまでの決済処理で抽出されたキャッシュカード（デビットカード）のＩＤに対応して、当該ＩＤによる今回の利用額、該ＩＤによるそれまでの利用実績に応じた、例えば、利用回数、利用金額の累計値データ等が記憶されている。
【００６６】
この構成において、キャッシュカード８１を用いてカード発行機６０からプリペイドカード６１を発行する場合の利用制限動作について説明する。
【００６７】
図６は、この場合におけるデビット端末８０、カード発行機６０、情報処理センタ５の三者間での処理動作を示すフローチャートである。なお、同フローチャート中の丸数字は、図４での処理の流れを示す丸数字に対応したものである。
【００６８】
図６において、遊技客がデビット端末８０のカード挿入／排出口８０７にキャッシュカード８１を挿入すると（ステップＳ６１０）、デビット端末８０は、この挿入されたキャッシュカード８１からカード情報を読み取るとともに、該遊技客に対して暗証番号の入力を要求する（ステップＳ６２０）。
【００６９】
この要求を例えば表示部８０５での表示により確認した遊技客がデビット端末８０に設けられたキー入力部８０６から自己の暗証番号を入力すると（ステップＳ６１１）、デビット端末８０は、この暗証番号を保持すると共に、カード発行機６０に対して、カード発行操作可の旨を通知する（ステップＳ６２１）。
【００７０】
これに対し、カード発行機６０は、デビット端末８０からの上記通知を受信すると、選択ボタン６０５を点灯状態に制御する（ステップＳ６３０）。
【００７１】
選択ボタン６０５の点灯中、遊技客が、その点灯した選択ボタン６０５のいずれかを押下すると（ステップＳ６４０）、カード発行機６０は、この押下された選択ボタン６０５に対応する金額データをデビット端末８０に通知する（ステップＳ６３１）。
【００７２】
一方、デビット端末８０は、カード発行機６０から上記金額データを受信すると、当該金額データと、ステップＳ６２０及びＳ６２１で得たカード情報及び暗証番号とを含む決済要求を情報処理センタ５に送出する（ステップＳ６２２）。
【００７３】
情報処理センタ５では、デビット端末８０から送出された上記決済要求を通信制御部５５ａを介して受信すると、例えば、その中の暗証番号が正常であることを条件に、主制御部５６の利用制限判定部５６２が、今回の決済要求が利用制限範囲内かどうかを判断する（ステップＳ６４０）。
【００７４】
その際、利用制限判定部５６２は、今回受信されたカード情報中のＩＤ（キャッシュカードを特定するＩＤ）を抽出し、このＩＤをキーに利用実績テーブル５７１ｂを検索し、該ＩＤに対応する諸条件が利用制限設定テーブル５７１ａの設定値範囲内であるか否か（利用ＯＫか利用ＮＧか）をチェックし、上記判断を下す。
【００７５】
ここで、利用ＯＫであれば（ステップＳ６４１ＹＥＳ）、主制御部５６の決済処理制御部５６１は、通信制御部５５ｂを通じてクリアリングセンタ６ａにアクセスし、今回の決済要求にて通知されたＩＤに対応する口座から当該決済要求で通知された金額データ分を引き落とす処理を含む決済処理を開始する（ステップＳ６４２）。
【００７６】
また、利用ＮＧであれば（ステップＳ６４１ＮＯ）、主制御部５６は、後述するステップ６４５での決済結果通知処理に進み、デビット端末８０に利用ＮＧであることを通知する。
【００７７】
なお、利用ＯＫである場合の情報処理センタ５での上記決済処理は、例えば、以下の手順で実現できる。
【００７８】
すなわち、ステップＳ６４１で利用ＯＫと判定した情報処理センタ５（決済処理制御部５６１）では、上記ステップＳ６２２での処理によりデビット端末８０から受信した各種データ（金額データ、カード情報、暗証番号等）を基に、通信制御部５５ｂを介して、ＣＡＦＩＳ（Credit and Finance Information System）ネットワーク６のクリアリングセンタ６ａに決済処理を依頼する（図１参照）。
【００７９】
この依頼を受けたクリアリングセンタ６ａは、カード発行銀行７−１、決済銀行７−２、加盟店銀行７−３間で決済処理を行ない、このうちの即時実行する必要のある処理〔例えば、カード発行銀行７−１での、今回の決済要求にて通知されたカード情報中から抽出したＩＤ（キャッシュカード８１を特定するＩＤ）に対応する口座から当該決済要求で通知された引き落とし金額分を引き落とす処理等〕が終了すると、情報処理センタ５に処理終了の通知を行う。また、クリアリングセンタ６ａでは、上記口座の残金不足等により決済処理が行えないような場合には、その旨を情報処理センタ５に通知する。
【００８０】
なお、即時実行分以外の決済処理は、予め決められた期間後（例えば、３営業日後）に実施され、最終的に、上記利用料金から上記決済処理により手数料等を差し引かれた代金が加盟店銀行７−３の情報処理センタ５の口座に振り込まれる。
【００８１】
その後、この加盟店銀行７−３の情報処理センタ５の口座に振り込まれた代金から情報処理センタ５の手数料を差し引いた代金が、××銀行７−４のカード会社（カード会社センタ１を運営する）の口座に振り込まれる。
【００８２】
更に、その後、この××銀行７−４のカード会社の口座に振り込まれた代金から各パチンコ店３の口座に、カード会社とパチンコ店３の取り決めに従い、プリペイドカード６１の使用度数に応じた代金が振り込まれる。
【００８３】
さて、上記ステップＳ６４２での決済処理の開始後、情報処理センタ５内の主制御部５６では、クリアリングセンタ６ａからの上記通知を基に、上記決済処理が無事完了したか（ＯＫか）否かを監視する（ステップＳ６４３）。
【００８４】
ここで、決済処理がＯＫの場合（ステップＳ６４３ＹＥＳ）、主制御部５６はデータベース管理部５６３を起動し、次の決済要求のアクセスに備え、ステップＳ６４１，Ｓ６４２での処理結果に応じて、利用制限データベース５７１内の利用実績テーブル５７１ｂのデータ内容を更新させ（ステップＳ６４４）、次いでその決済結果をデビット端末８０に通知し（ステップＳ６４５）、処理を終了する。
【００８５】
これに対し、例えば、今回の決済要求にて通知されたＩＤに対応する口座の残額が当該決済要求で通知された金額に満たない（残額不足）等により決済処理が行えなかった場合（ステップＳ６４３ＮＯ）、その決済結果を直ちにデビット端末８０に通知し（ステップＳ６４５）、処理を終了する。
【００８６】
一方、デビット端末８０は、情報処理センタ５からの上記決済結果通知を受信すると、その決済結果をカード発行機６０に通知し（ステップＳ６２３）、次いでキャッシュカード８１を遊技客に返却し（ステップＳ６２４）、処理を終える。
【００８７】
カード発行機６０では、デビット端末８０から受信した決済結果通知を基に決済が完了したか否かを判断する（ステップＳ６３２）。
【００８８】
ここで、決済完了であれば（ステップＳ６３２ＹＥＳ）、カード発行機６０は、それ以前のステップＳ６４０で押下された選択ボタン６０５に対応する金額のプリペイドカード６１（当該金額相当度数の有価データが記憶されたカード）をカード発行口６０６から排出し（ステップＳ６３３）、その後、全ての選択ボタン６０５を消灯状態に制御し（ステップＳ６３４）、処理を終える。また、決済が完了していなければ（ステップＳ６３２ＮＯ）、直ちに全ての選択ボタン６０５を消灯状態に制御し（ステップＳ６３４）、処理を終える。
【００８９】
このように、実施例１では、情報処理センタ５において、予め設定された利用制限範囲内でキャッシュカード決済によるプリペイドカード発行の利用を制限する制御を実施している。
【００９０】
本実施例において、制限条件（図５における利用制限設定テーブル参照）は設定で任意に変更できても、また固定でもいずれでも構わない。
【００９１】
また、制限条件は、一定期間内の利用上限（期間と上限金額、制限回数）を制限する方法と、取引一回当たりの上限金額、下限金額を制限する方法のどちらか一方を用いても良いし、両方を用いても良い。
【００９２】
後者の方法では、取引の金額を受け取った時に、単に、その金額が制限条件の範囲内であるかどうかを判断することで対処できるが、前者の方法では、利用元を特定して対応する必要がある。この点、本実施例では、情報処理センタ５側が、デビット端末８０から受信したカード情報を基にキャッシュカード８１を特定するＩＤを抽出し、そのＩＤが設定期間内の制限条件に対して今回の利用が範囲内にあるかどうかを判断している。
【実施例２】
【００９３】
図７は、実施例２に係わるデビット端末８０とカード発行機６０の構成及び接続態様を示す概念図である。
【００９４】
本実施例において、デビット端末８０、カード発行機６０とも、外観上の構成はそれぞれ第１の実施例のものと同様である。
【００９５】
このうち、デビット端末８０の機能構成は図８に示す如くであり、情報処理センタ５との通信制御を行う通信制御部８０１（通信制御部１）、カード発行機６０との通信制御を行う通信制御部８０２（通信制御部２）、端末全体の制御を行う主制御部８０３、制御に必要な各種情報等を記憶するメモリ部８０４、表示部８０５、キー入力部８０６、カードリーダー部８０７ａ、プリンタ部８０８により構成される。
【００９６】
主制御部８０３内の構成要素としては、決済処理制御部８０３ａ、利用制限判定部８０３ｂ、データベース管理部８０３ｃが備わり、メモリ部８０４内には利用制限データベース８０４ａが設けられる。
【００９７】
利用制限データベース８０４内には、第１の実施例に係わる利用制限設定テーブル５７１ａ及び利用実績テーブル５７１ｂ（図５参照）と同等のテーブルが用意される。また、主制御部８０３内の決済処理制御部８０３ａ、利用制限判定部８０３ｂ、データベース管理部８０３ｃは、それぞれ、第１の実施例における情報処理センタ５の該当部分と同等の機能を有するものである。
【００９８】
この構成において、キャッシュカード８１を用いてカード発行機６０からプリペイドカード６１を発行する場合の利用制限動作について説明する。
【００９９】
図９は、この場合におけるデビット端末８０とカード発行機６０間での処理動作を示すフローチャートである。なお、同フローチャート中の丸数字は、図７での処理の流れを示す丸数字に対応したものである。
【０１００】
図９において、遊技客がデビット端末８０のカード挿入／排出口８０７にキャッシュカード８１を挿入すると（ステップＳ９１０）、デビット端末８０の主制御部８０３は、カードリーダー部８０７ａを通じて当該キャッシュカード８１からカード情報を読み取る（ステップＳ９２０）。
【０１０１】
次いで、利用制限判定部８０３ｂは、この読み取ったカード情報中のＩＤ（キャッシュカードを特定するＩＤ）を抽出し、このＩＤをキーに利用制限データベース８０４ａ内の利用実績テーブルを検索し、該ＩＤに対応する諸条件が利用制限設定テーブルの設定値範囲内であるか否か（利用ＯＫか利用ＮＧか）をチェックする（ステップＳ９２１）。
【０１０２】
ここで、利用ＮＧであれば（ステップＳ９２２ＮＯ）、主制御部８０３は、カード挿入／排出口８０７に挿入されているキャッシュカード８１を遊技客に返却し（ステップＳ９２３）、処理を終了する。
【０１０３】
これに対し、利用ＯＫであれば（ステップＳ９２２ＹＥＳ）、主制御部８０３は、該遊技客に対して暗証番号の入力を要求する（ステップＳ９２４）。
【０１０４】
この要求を例えば表示部８０５での表示により確認した遊技客がキー入力部８０６から自己の暗証番号を入力すると（ステップＳ９１１）、デビット端末８０の主制御部８０３は、この暗証番号を保持すると共に、カード発行機６０に対して、通信制御部８０２を介し、利用可能である旨及び利用可能条件を通知する（ステップＳ９２５）。
【０１０５】
その際、主制御部８０３は、ステップＳ９２０で読み取ったキャッシュカードＩＤを基に利用制限データベース８０４ａ内の利用実績テーブルを検索し、当該ＩＤによるそれまでの利用実績と利用制限テーブル内の該当する設定値とを比較して上記利用可能条件（金額等）を取得する。
【０１０６】
一方、カード発行機６０では、デビット端末８０からの上記通知を受信すると、その中の利用可能条件から発行可能金額を判断し、その金額の範囲内で選択ボタン６０５を点灯状態に制御する（ステップＳ９４０）。
【０１０７】
選択ボタン６０５の点灯中、遊技客が、その点灯した選択ボタン６０５のいずれかを押下すると（ステップＳ９５０）、カード発行機６０は、この押下された選択ボタン６０５に対応する金額データをデビット端末８０に通知する（ステップＳ９４１）。
【０１０８】
一方、デビット端末８０では、通信制御部８０１を介してカード発行機６０から上記金額データを受信すると、決済処理制御部８０３ａが、通信回線網４を介して情報処理センタ５にアクセスし、今回の利用指定額による決済処理を行う（ステップＳ９２６）。なお、この決済処理は第１の実施例で説明した手順と同じ手順で実現できる。
【０１０９】
上記ステップＳ９２６での決済処理の開始後、デビット端末８０の主制御部８０３では、情報処理センタ５からの決済結果通知を通信制御部８０１を介して受信し、決済処理が無事完了したか（ＯＫか）否かを監視する（ステップＳ９２７）。
【０１１０】
ここで、決済処理がＯＫの場合（ステップＳ９２７ＹＥＳ）、主制御部８０３はデータベース管理部８０３ｃを起動し、次の決済要求のアクセスに備え、ステップＳ９２６での処理結果に応じて、利用制限データベース８０４ａ内の利用実績テーブルのデータ内容（回数、金額等）を更新させる（ステップＳ９２８）。
【０１１１】
更に、その決済結果を通信制御部８０２を介してカード発行機６０に通知し（ステップＳ９２９）、次いでキャッシュカード８１を遊技客に返却し（ステップＳ９３０）、処理を終了する。
【０１１２】
これに対し、例えば、決済対象の口座の残額不足等により決済処理が行えなかった場合（ステップＳ９２７ＮＯ）、その決済結果を通信制御部８０２を介して直ちにカード発行機６０にに通知し（ステップＳ９２９）、次いでキャッシュカード８１を遊技客に返却し（ステップＳ９３０）、処理を終了する。
【０１１３】
一方、カード発行機６０では、デビット端末８０から受信した決済結果通知を基に決済が完了したか否かを判断する（ステップＳ９４２）。
【０１１４】
ここで、決済完了であれば（ステップＳ９４２ＹＥＳ）、カード発行機６０は、それ以前のステップＳ９５０で押下された選択ボタン６０５に対応する金額のプリペイドカード６１（当該金額相当度数の有価データが記憶されたカード）をカード発行口６０６から排出し（ステップＳ９４３）、その後、全ての選択ボタン６０５を消灯状態に制御し（ステップＳ９４４）、処理を終える。また、決済が完了していなければ（ステップＳ９４２ＮＯ）、直ちに全ての選択ボタン６０５を消灯状態に制御し（ステップＳ９４４）、処理を終える。
【０１１５】
なお、上記の処理において、デビット端末８０からのカード発行機６０への金額通知（ステップＳ９２５）及びカード発行機６０での利用可能範囲での金額表示（ステップＳ９４０：選択ボタン点灯）は必ずしも無くても良い。また、暗証番号入力のタイミングは、決済処理開始前であれば、いつでも良い。
【０１１６】
また、利用制限データベース８０４ａの更新（ステップＳ９２８）のタイミングも本例に限るものではないが、決済完了前に更新、記憶する場合は、残高不足などで決済できなかった場合は、抹消するようにすれば良い。
【０１１７】
このように、実施例２では、パチンコ店３内に設置されたデビット端末８０において、予め設定された利用制限範囲内でキャッシュカード決済によるプリペイドカード発行の利用を制限する制御を実施している。
【０１１８】
なお、上記実施例１においては、例えば、店舗内のグループあるいは端末毎の利用制限を行う場合に、情報処理センタ５にアクセスに行くため、通信料がかさむことなるが、この様な場合には、本実施例のように、店舗内のデビット端末８０にて利用制限する方が通信コスト面から有利と考えられる。
【０１１９】
また、本実施例では、デビット端末８０とカード発行機６０を独立に設けたが、これらを１ユニット（請求項１０の遊技料金処理ユニットに相当）内に一体化した構造としても良い。
【実施例３】
【０１２０】
図１０は、実施例３に係わるデビット端末８０とカード発行機６０間の接続態様を示す概念図である。
【０１２１】
本実施例では、デビット端末８０とカード発行機６０間に、上述した会員管理用Ｔ／Ｃ１０とも接続された会員管理端末９０が接続されている。
【０１２２】
会員管理端末９０は、カード挿入／排出口９０７から挿入される会員カード９１から会員コード等のカード情報を読み取ってＴ／Ｃ１０へ送信する他、Ｔ／Ｃ１０と間で必要なデータの交換を行いながら、該Ｔ／Ｃ１０と協同して会員情報の管理を行うものである。
【０１２３】
図１０に示す如く、この会員管理端末９０には、外観上の構成として、上記カード挿入／排出口９０７以外に、会員番号や入力操作ガイダンス等の各種情報を表示する表示部９０５、テンキー等のキーを備え、会員管理に関連する暗証番号等を入力するキー入力部９０６が備わる。
【０１２４】
本実施例では、この会員管理端末９０をデビット端末８０とカード発行機６０間に設置し、会員管理用Ｔ／Ｃ１０を通じて、キャッシュカードの利用制限を実施するものである。
【０１２５】
本実施例でのキャッシュカードの利用制限を実現するにあたっては、例えば、会員管理用Ｔ／Ｃ１０のワークステーション１１０内のメモリ１１０−２に、会員管理用のデータベース１１１（図３参照）と別に利用制限データベース１１２（図２参照）が設けられる。
【０１２６】
この利用制限データベース１１２は、上記第１及び第２の実施例で用いた利用制限データベース（図５参照）と同等のものであり、その中には利用制限設定テーブル５７１ａ及び利用実績テーブル５７１ｂと同等のテーブルがそれぞれ用意される。但し、この場合の利用実績テーブルにおける利用実績は、キャッシュカードのＩＤではなく、会員ＩＤに対応して管理されるものである。
【０１２７】
また、この利用制限データベース１１２に基づく利用制限判定やデータベース管理等の処理機能（例えば、第２の実施例における利用制限判定部８０３ｂ、データベース管理部８０３ｃに相当するもの）は、同ワークステーション１１０内の制御部１１０−１に持たせている。
【０１２８】
なお、この場合におけるデビット端末８０、カード発行機６０の外観上の構成は、共に、それぞれ第１及び第２の実施例のものと同様で良い。また、デビット端末８０の機能構成については、図８における利用制限判定部８０３ｂ、データベース管理部８０３ｃ、利用制限データベース８０４ａを持つ必要が無くなる。
【０１２９】
本実施例において、キャッシュカード８１を用いてカード発行機６０からプリペイドカード６１を発行する場合の利用制限動作について説明する。
【０１３０】
図１１は、この場合におけるデビット端末８０、会員管理端末９０、会員管理用Ｔ／Ｃ１０三者間での処理動作を示すフローチャートであり、図１２は、同カード発行機６０の処理動作を示すフローチャートである。なお、これらフローチャート中の丸数字は、図１０での処理の流れを示す丸数字に対応したものである。
【０１３１】
図１１において、遊技客が会員管理端末９０のカード挿入／排出口９０７に会員カード９１を挿入すると（ステップＳ１１０１）、会員管理端末９０は、当該会員トカード９１から会員ＩＤ等を含むカード情報を読み取り、該カード情報を会員管理用Ｔ／Ｃ１０に送信する（ステップＳ１１１０）。
【０１３２】
これに対し、会員管理用Ｔ／Ｃ１０では、会員管理端末９０からの上記カード情報を受信すると、その中の会員ＩＤをキーにＴ／Ｃ１０の制御部１１０−１が利用制限データベース１１２内の利用実績テーブルを検索し、該ＩＤに対応する諸条件が利用制限設定テーブルの設定値範囲内であるか否か（利用ＯＫか利用ＮＧか）を判断し（ステップＳ１１２０）、その判断結果を会員管理端末９０に送信する（ステップＳ１２１１）。
【０１３３】
ここで、会員管理用Ｔ／Ｃ１０は、利用ＯＫの場合は、利用可能である旨及び利用可能条件を送信し、利用ＮＧの場合はその旨を送信する。なお、その際、会員管理用Ｔ／Ｃ１０では、ステップＳ１１１０で読み取った会員ＩＤを基に制御部１１０−１が利用制限データベース１１２内の利用実績テーブルを検索し、当該会員ＩＤによるそれまでの利用実績と利用制限テーブル内の該当する設定値とを比較して上記利用可能条件（金額等）を取得する。
【０１３４】
一方、会員管理端末９０は、会員管理用Ｔ／Ｃ１０からの上記判断結果を受信すると、その結果を判定し（ステップＳ１１１１）、利用ＮＧであれば（ステップＳ１１１２ＮＯ）、会員カード９１を遊技客に返却し（ステップＳ１１１３）、処理を終える。
【０１３５】
また、利用ＯＫであれば（ステップＳ１１１２ＹＥＳ）、会員管理端末９０は、会員管理用Ｔ／Ｃ１０から受信した利用可能条件を保持し（ステップＳ１１１４）、次いで、デビット端末８０に対して、キャッシュカードの受け入れが可能であることを通知する（ステップＳ１１１５）。
【０１３６】
これに対し、デビット端末８０は、会員管理端末９０からの上記通知を受けると、遊技客に対してキャッシュカードの挿入と暗証番号の入力とを要求する（ステップＳ１１３０）。
【０１３７】
この要求を例えば表示部８０５での表示により確認した遊技客が、カード挿入／排出口８０７にキャッシュカードを挿入し（ステップＳ１１４０）、かつキー入力部８０６から自己の暗証番号を入力すると（ステップＳ１１４１）、デビット端末８０は、会員管理端末９０に対して、受け入れ可能となった旨を通知する（ステップＳ１１３１）。
【０１３８】
一方、会員管理端末９０では、デビット端末８０から上記受け入れ可能通知を受信すると、ステップＳ１１１４で記憶してある利用可能条件から発行可能金額を判断し、その金額をカード発行機６０に通知する（ステップＳ１１１６）。
【０１３９】
その後の処理は、図１２に移る。すなわち、カード発行機６０は、会員管理端末９０からの上記通知を受信すると、その中の発行可能金額の範囲内で選択ボタン６０５を点灯状態に制御する（ステップＳ１２１１）。
【０１４０】
選択ボタン６０５の点灯中、遊技客が、その点灯した選択ボタン６０５のいずれかを押下すると（ステップＳ１２２０）、カード発行機６０は、この押下された選択ボタン６０５に対応する金額データを会員管理端末９０に通知する（ステップＳ１２１２）。
【０１４１】
これ以降の処理は、再び、図１１に戻る。すなわち、会員管理端末９０では、カード発行機６０から上記金額データを受信すると、当該金額データを記憶すると共に、当該金額データをデビット端末８０に通知する（ステップＳ１１１７）。
【０１４２】
一方、デビット端末８０では、会員管理端末９０から上記金額データを受信すると、通信回線網４を介して情報処理センタ５にアクセスし、今回通知された金額データによる決済処理を開始する（ステップＳ１１３２）。なお、この決済処理も第１及び第２の実施例で説明した手順と同じ手順で実現できる。
【０１４３】
上記ステップＳ１１３２での決済処理の開始後、デビット端末８０は、情報処理センタ５からの決済結果通知を受信し、該決済結果を更に会員管理端末９０の通知する（ステップＳ１１３３）。その後、デビット端末８０は、カード挿入／排出口８０７に挿入されているキャッシュカード８１を遊技客に返却し（ステップＳ１１３４）、処理を終了する。
【０１４４】
一方、会員管理端末９０では、デビット端末８０からの上記決済結果通知を受信すると、会員管理用Ｔ／Ｃ１０及びカード発行機６０の双方にその決済結果を通知する（ステップ１１１８）。
【０１４５】
なお、このステップ１１１８での通知処理において、会員管理端末９０は、決済ＯＫの時には、会員管理用Ｔ／Ｃ１０に対して決済ＯＫの旨と決済金額を通知し、カード発行機６０に対して決済ＯＫの旨を通知する。
【０１４６】
また、決済ＮＧの時には、会員管理用Ｔ／Ｃ１０とカード発行機６０の双方に決済ＮＧの旨を通知する。
【０１４７】
このステップ１１１８での決済結果の通知が終わると、次いで、会員管理端末９０は、会員カード９１を遊技客に返却して（ステップＳ１１１９）、処理を終了する。
【０１４８】
一方、上記ステップＳ１１１８の処理に伴い上記決済結果通知を受信した会員管理用Ｔ／Ｃ１０では、制御部１１０−１が、まず、当該通知内容を基に決済が完了したか否かをチェックし（ステップＳ１１２２）、決済完了であれば（ステップＳ１１２２ＹＥＳ）、会員管理端末９０から通知された金額データ等、今回の利用実績に関する諸データを会員ＩＤに関係付けて整理し、利用制限データベース１１２の内容を更新し（ステップＳ１１２３）、処理を終える。また、決済が未完了であれば（ステップＳ１１２２ＮＯ）、利用制限データベース１１２の内容を更新行わずに直ちに処理を終える。
【０１４９】
一方、上記ステップＳ１１１８の処理に伴い上記決済結果通知を受信したカード発行機６０の処理は図１２に移る。
【０１５０】
すなわち、カード発行機６０では、会員管理端末９０からの上記決済結果通知を受信すると、この決済結果通知を基に決済が完了したか否かを判断する（ステップＳ１２１３）。
【０１５１】
ここで、決済完了であれば（ステップＳ１２１３ＹＥＳ）、カード発行機６０は、それ以前のステップＳ１２２０で押下された選択ボタン６０５に対応する金額のプリペイドカード６１（当該金額相当度数の有価データが記憶されたカード）をカード発行口６０６から排出し（ステップＳ１２１４）、その後、全ての選択ボタン６０５を消灯状態に制御し（ステップＳ１２１５）、処理を終える。また、決済が完了していなければ（ステップＳ１２１３ＮＯ）、直ちに全ての選択ボタン６０５を消灯状態に制御し（ステップＳ１２１５）、処理を終える。
【０１５２】
なお、上記処理において、会員管理装置９０からカード発行機６０への金額通知（ステップＳ１１１６）及びカード発行機６０での利用可能範囲での金額表示（ステップＳ１２１１：選択ボタン点灯）は必ずしも無くても良い。また、暗証番号入力のタイミングは、決済処理開始前であれば、いつでも良い。
【０１５３】
また、利用制限データベース１１２の更新（ステップＳ１１２３）のタイミングも本例に限るものではないが、決済完了前に更新、記憶する場合は、残高不足などで決済できなかった場合は、抹消するようにすれば良い。
【０１５４】
また、本実施例では、会員管理端末９０とデビット端末８０とを独立に設けたが、これら両者を、あるいはこれらとカード発行機６０を含めて１ユニット内に一体化した構造としても良い。
【０１５５】
また、本実施例では、会員管理端末９０と会員カード（会員ＩＤ）の組み合わせて利用制限するようにしているが、会員管理端末９０に代わるデビット利用管理専用の装置（カード固有のＩＤを有するカードを受け入れて該カード情報を読み取る読み取り手段を含む装置）と、本装置専用のＩＤ特定手段との組み合わせでも実現できるものである。
【０１５６】
このように、第３の実施例では、パチンコ店３の会員情報を管理する会員管理用Ｔ／Ｃにおいて、予め設定された利用制限範囲内でキャッシュカード決済によるプリペイドカード発行の利用を制限する制御を実施している。
【０１５７】
上記第１〜第３のいずれの実施例においても、例えば、キャッシュカード１枚あたりの１日の利用量及び１回当たりの利用量を制限することで、一定以上の遊技への投資を規制でき、遊技客の決済金額の使いすぎを防止できる。
【０１５８】
また、キャッシュカード１枚あたりの１日の利用量及び１回当たりの利用量を制限することで、キャッシュカードが盗まれたり、暗証番号が知られた際にも、被害額を最小限に抑えることができる。
【０１５９】
また、決済金額の上限値のみならず、下限値も設定できるため、小額の複数回数決済を無くすことでき、決済処理手数料の負担軽減が図れる。
【０１６０】
なお、本発明に係わる遊技場内でのデビットカード決済利用法としては、上記実施例で述べたプリペイドカード発行に限らず、両替機またはカード発行機を利用したキャッシュアウト、デビット対応台玉貸し機（プリペイドカードユニット）等にも活用できる。
【産業上の利用可能性】
【０１６１】
本発明の遊技料金処理ユニットは、パチンコ店等の遊技場において利用可能である。
【図面の簡単な説明】
【０１６２】
【図１】本発明の遊技システムの全体構成を示すブロック図。
【図２】図１における会員管理用Ｔ／Ｃの詳細構成を示すブロック図。
【図３】会員管理用Ｔ／Ｃ内の会員管理用データベースの構成例を示す図。
【図４】実施例１に係わるデビット端末、カード発行機、情報処理センタの構成及び接続態様を示す概念図。
【図５】情報処理センタ内の利用制限データベースの一例を示す図。
【図６】実施例１におけるデビット端末、カード発行機、情報処理センタ間での利用制限処理動作を示すフローチャート。
【図７】実施例２に係わるデビット端末、カード発行機の構成及び接続態様を示す概念図。
【図８】実施例２におけるデビット端末の機能構成を示すブロック図。
【図９】実施例２におけるデビット端末とカード発行機間での利用制限処理動作を示すフローチャート。
【図１０】実施例３に係わるデビット端末、会員管理端末、カード発行機の接続態様を示す概念図。
【図１１】実施例３におけるデビット端末、会員管理端末、会員管理用Ｔ／Ｃ間での利用制限処理動作を示すフローチャート。
【図１２】実施例３におけるカード発行機の処理動作を示すフローチャート。
【符号の説明】
【０１６３】
１    カード会社センタ
２，４    公衆回線網
３−１，３−２，〜，３−ｎ    パチンコ店
５    情報処理センタ
５５    通信制御部
５６    主制御部
５６１    決済処理制御部
５６２    利用制限判定部
５６３    データベース管理部
５７    メモリ部
５７１    利用制限データベース
５７１ａ    利用制限設定テーブル
５７１ｂ    利用実績テーブル
６    ＣＡＦＩＳネットワーク
６ａ    クリアリングセンタ
７−１    カード発行銀行
７−２    決済銀行
７−３    加盟店銀行
７−４    カード会社取引銀行
７−５    パチンコ店口座
１０    会員管理用ターミナルコントローラ（Ｔ／Ｃ）
１１０    ワークステーション
１１０−１    制御部
１１０−２    メモリ部
１１１    会員管理用データベース
１１２    利用制限データベース
１１０−３    表示部
１１０−４    入出力部
１１１    データベース
１２０    パーソナルコンピュータ
１３０    プリンタ
１４０    会員カード販売機
１５，２５    ローカルエリアネットワーク（ＬＡＮ）
２０    カード管理用ターミナルコントローラ（Ｔ／Ｃ）
３０    島
４０    島コントローラ（Ｓ／Ｃ）
５０    遊技ユニット
５１０    遊技機
５２０    カード処理ユニット
６０    カード発行機
６１    プリペイドカード
６０５    選択ボタン
６０６    カード発行口
７０    カード精算機
８０    デビット端末
８１    キャッシュカード（デビットカード）
８０１    通信制御部１
８０２    通信制御部２
８０３    主制御部
８０３ａ    決済処理制御部
８０３ｂ    利用制限判定部
８０３ｃ    データベース管理部
８０４    メモリ部
８０４ａ    利用制限データベース
８０５    表示部
８０６    キー操作部
８０７    カード挿入／排出口
８０７ａ    カードリーダー部
８０８    プリンタ部
９０    会員管理端末
９１    会員カード
９０５    表示部
９０６    キー操作部
９０７    カード挿入／排出口
【図１】
2006341122.tif 000003
【図２】
2006341122.tif 000004
【図３】
2006341122.tif 000005
【図４】
2006341122.tif 000006
【図５】
2006341122.tif 000007
【図６】
2006341122.tif 000008
【図７】
2006341122.tif 000009
【図８】
2006341122.tif 000010
【図９】
2006341122.tif 000011
【図１０】
2006341122.tif 000012
【図１１】
2006341122.tif 000013
【図１２】
2006341122.tif 000014